(57)【要約】      （修正有）【課題】  波板を取付対象物に固定する際に、主な締結作業を屋内側で実施することにより作業性、安全性を改善し、波板が施工中に破損する率を大幅に低減した取付金具を提供する。【解決手段】  波板１００に上部を締結すると共に、波板の屋内側の取付対象物１１０に下部を固定される波板取付金具１であって、屋外差込み金具２と、屋内押上げ金具２０と、両金具間の締結具３０と、屋外差込み金具下部と取付対象物との締結具４０と、を備え、屋外差込み金具は、波板上面と整合した形状の押え板３と、押え板から垂下すると共に上部の大径ボルト部５の下端から同軸状に小径ボルト部６を突出させた段付きボルト４と、を備え、屋内押上げ金具は、波板下面と整合した形状の押上げ板２１と、押上げ板下面から垂下すると共に屋外差込み金具の段付きボルトを上部開口から挿入して下部開口から前記大径ボルト部を突出させることが可能なパイプ部材２２と、を備えている。【選択図】      図２
2006169847.tif 000002
【特許請求の範囲】
【請求項１】
波板の凸部、又は凹部に上部を締結すると共に、該波板の屋内側に配設された取付対象物に下部を固定される波板取付金具であって、
屋外差込み金具と、屋内押上げ金具と、前記両金具間の締結具と、屋外差込み金具下部と前記取付対象物との締結具と、を備え、
前記屋外差込み金具は、前記波板の凸部上面、又は凹部上面と整合した形状の押え板と、該押え板の中央部下面に一体化して垂下すると共に上部の大径ボルト部の下端から同軸状に小径ボルト部を突出させた段付きボルトと、を備え、
前記屋内押上げ金具は、前記波板の凸部、又は凹部下面と整合した形状の押上げ板と、該押上げ板の中央下面に一体化して垂下すると共に前記屋外差込み金具の段付きボルトを上部開口から挿入して下部開口から前記大径ボルト部を突出させることが可能なパイプ部材と、を備えていることを特徴とする波板取付金具。
【請求項２】
前記押え板と前記波板上面との間、或いは前記押上げ板と前記波板下面との間に介在するパッキンを備えたことを特徴とする請求項１に記載の波板取付金具。
【請求項３】
前記大径ボルト部には位置決め用の小孔を設け、前記パイプ部材には該小孔と連通可能な上下方向へ延びる長穴を備えていることを特徴とする請求項１、又は２に記載の波板取付金具。
【発明の詳細な説明】
【技術分野】
【０００１】
本発明を屋根板、壁板等として使用される波板を建物の屋内側から骨格構造体等の取付対象物に取付ける作業を実施することができる安全性、作業性、操作性に優れた波板取付金具に関する。
【背景技術】
【０００２】
従来、屋根材として波板を組み付ける場合、波板を屋根の下地上に釘やネジや係止具にて固定する方法が一般的であった（特開昭５７−１３０８８２号公報、特開平４−３５７２４９号公報、特開平９−２０３１６５号公報、特開２００３−２７６７２公報）。しかし、釘やネジを挿通し、波板取付と漏水防止を上方からの一回の締結作業で固定を行っていたため、上からの一方的な締め付け、押さえ込みにより、波板にクラックが形成されることが多々あった。また、屋外からの締結であるため、ナット、ボルトが露出し、漏水の原因となり、この点の改善が求められていた。また、波板の固定作業は屋根上に作業者が上った状態での作業となるため、危険であるばかりでなく、作業者が誤って波板を踏みつけて損傷することがあった。本来、波板は、樹脂、トタン、スレート等からなるため、変形、損傷し易いという欠点を有している。
例えば特開２００２−１２２１０９公報には、波板に設けた穴と、その直下に位置する下地材の穴に対して、屋外側から差込み固定することにより両者を係止すると共に、防水構造を改善した止着締結装置が開示されているが、この従来例においても屋根上に上がった作業者が締結作業を実施する必要があるため、危険性、波板の過度の力による締結による破損という問題は解消されることがない。
【特許文献１】特開昭５７−１３０８８２号公報
【特許文献２】特開平４−３５７２４９号公報
【特許文献３】特開平９−２０３１６５号公報
【特許文献４】特開２００３−２７６７２公報
【特許文献５】特開２００２―１２２１０９公報
【発明の開示】
【発明が解決しようとする課題】
【０００３】
本発明は上記に鑑みてなされたものであり、屋外での締め付けを行った場合に発生する突出部の露出状態をなくして、取り付け穴を金具とパッキンで覆い隠すことにより漏水を防止する。
屋根材、壁材として使用する波板を下地材、或いは骨格構造体（型鋼）などの取付対象物に締結固定する際に、主な締結作業を屋内側で実施することにより作業性を大幅に高め、作業者の安全性を改善し、波板が踏みつけや屋外からの締結作業時の負荷によって破損する率を大幅に低減した波板取付金具を提供することを目的としている。
また、既に波板取付金具によって締結されている波板の締結力を高めるために、取付金具を締結し直す作業についても屋内で実施できるため、作業性が向上する。特に、降雨時、降雪時、夜間時に屋根などの屋外での作業は危険や作業性の低下を伴うが、本発明によれば屋内での作業（屋根の下側からの作業）が可能であるため、そのような不具合がなくなる。
【課題を解決するための手段】
【０００４】
上記目的を達成するため、請求項１の発明は、波板の凸部、又は凹部に上部を締結すると共に、該波板の屋内側に配設された取付対象物に下部を固定される波板取付金具であって、屋外差込み金具と、屋内押上げ金具と、前記両金具間の締結具と、屋外差込み金具下部と前記取付対象物との締結具と、を備え、前記屋外差込み金具は、前記波板の凸部上面、又は凹部上面と整合した形状の押え板と、該押え板の中央部下面に一体化して垂下すると共に上部の大径ボルト部の下端から同軸状に小径ボルト部を突出させた段付きボルトと、を備え、前記屋内押上げ金具は、前記波板の凸部、又は凹部下面と整合した形状の押上げ板と、該押上げ板の中央下面に一体化して垂下すると共に前記屋外差込み金具の段付きボルトを上部開口から挿入して下部開口から前記大径ボルト部を突出させることが可能なパイプ部材と、を備えていることを特徴とする。
請求項２の発明は、請求項１において、前記押え板と前記波板上面との間、或いは前記押上げ板と前記波板下面との間に介在するパッキンを備えたことを特徴とする。
請求項３の発明は、請求項１、又は２において、前記大径ボルト部には位置決め用の小孔を設け、前記パイプ部材には該小孔と連通可能な上下方向へ延びる長穴を備えていることを特徴とする。
【発明の効果】
【０００５】
請求項１の発明によれば、屋根材や壁材としての波板の凸部上面、又は凹部上面と整合した形状の押え板によって波板上面を押えつつ、押上げ板によって波板下面を押し上げることにより、両者によって波板の同一箇所を挟圧保持するようにしたので、波板に設けた穴からの漏水を確実に防止できる。屋外差込み金具と屋内押上金具の併用により、波板固定のための締め付け調整と、漏水防止のための締め付け調整を区別して実施することが可能となった。また、押上げ金具の働きによって外部よりの荷重に耐える力が増強され、クラックの防止にも貢献できるようになった。また、屋外差込み金具と屋内押上げ金具との締結作業は屋内（屋根の下側、壁部の内側）で行われるため、屋外の天候に関係なく安全に効率の良い締結作業を実施できる。締結作業は、ナットを締結するだけの簡単な作業であるため、熟練を要しない。また、屋外での締結作業では屋根材を踏みつけることによって破損することが多々あるが、本発明では屋外差込み金具を屋根材等の穴に挿着する作業を除けば、全ての作業が屋内で実施可能であるため、そのような虞が解消される。構造的にもシンプルであり、製造コストを低減できる。
請求項２の発明によれば、押え板と波板上面との間、押上げ板と波板下面との間に夫々パッキンを配置したので、波板に設けた穴や、波板間の接合部を緊密に閉止して漏水を防止できる。
請求項３の発明によれば、大径ボルト部には位置決め用の小孔を設け、パイプ部材には該小孔と連通可能な上下方向へ延びる長穴を備えているので、波板に取り付けた屋外差込み金具の段付きボルトに対して屋内押上げ金具を挿着した際に、小孔と長穴にピンを挿着しておくことにより、屋内押上金具の脱落を防止して作業性を高めることが可能となる。特に、ピンとパイプ部材を用いることにより、押え板と押上げ板とパッキン等とのねじれ、ずれを防止できる。
【発明を実施するための最良の形態】
【０００６】
以下、本発明を図面に示した実施の形態により詳細に説明する。
図１は本発明の波板取付金具の分解斜視図、図２（ａ）は波板取付金具を波板に取り付けた状態を示す斜視図、（ｂ）は下部締結具の構成説明図である。
この波板取付金具１は、建物、その他の建造物の屋根板（屋根材）を構成する波板１００を屋内側に位置する骨格構造体（型鋼）等の取付対象物１１０に対して容易、且つ確実に締結するための手段である。波板取付金具１は、波板１００の凸部１００ａ、又は凹部に上部を締結すると共に、波板の屋内側に配設された骨格構造体１１０に下部を締結固定され、屋外差込み金具２と、屋内押上げ金具２０と、両金具間を締結する上部締結具３０と、屋外差込み金具下部と骨格構造体１１０とを締結する下部締結具４０と、を備えている。
屋外差込み金具２は、波板１００の凸部１００ａの上面、又は凹部の上面と整合した形状の押え板３と、押え板３の中央部下面に一体化して垂下すると共に上部の大径ボルト部５の下端から同軸状に小径ボルト部６を突出させた段付きボルト４と、を備えている。屋外差込み金具２の材質は、鉄、ステンレス等々任意の材質を使用可能である。また、必要に応じて、押え板３は波板の凸部のみならず凹部をもカバーするように幅広く構成してもよい。
【０００７】
大径ボルト部５はその先端部から所定範囲に亘ってネジが形成され、小径ボルト６も同様の先端部から所定の範囲に亘ってネジが形成されている。
屋内押上げ金具２０は、波板１００の凸部１００ａの下面、又は凹部下面と整合した形状の押上げ板２１と、押上げ板２１の中央下面に一体化して垂下すると共に屋外差込み金具２の段付きボルト４を上部開口２２ａから挿入して下部開口２２ｂから大径ボルト部５を突出させることが可能なパイプ部材２２と、を備えている。押上げ板２１は、波板を挟んで押え板３と対応関係にあるようにその面積、形状が設定されている。パイプ部材２２の内壁にはネジ山は形成する必要が無く、段付きボルト４の大径ボルト部５をがたつきなく支持できる程度の径に設定しておけばよい。
段付きボルト４とパイプ部材２２の各長さは、図２に示した様に、段付きボルト４をパイプ部材の上部開口から挿入したときに、下部開口から大径ボルト部５のネジ部が十分に突出するように構成する。パイプ部材２２の下部開口から突出した大径ボルト部５に対しては上部締結具３０としてのナットを締結する。このため、パイプ部材２２の下端部の外径、外形はナット３０と同等に設定する。
小径ボルト６は、その下端部に設けたネジ部を下部締結具４０に締結することにより、骨格構造体１１０に対する固定を実現する。
なお、屋外差込み金具２と屋内押上げ金具２０との締結に際して、両者を仮止め（回転止め）するために、大径ボルト部５には位置決め用の小孔（丸穴）５ａを設け、パイプ部材２２には小孔５ａと連通可能な上下方向への長穴２２ａを備えている。段付きボルト４をパイプ部材２２内に挿入してから、小孔５ａと長穴２２ａを連通させた状態で、小孔５ａ及び長穴２２ａ内にピン３５を挿入して両者を連結する。ピン３５は先端に線状の鋼材を図示のように折り曲げると共に、先端に係止片を設けた構成を有し、先端部から小孔５ａ内に差込み、小孔５ａの反対側に先端の拡開部を突出させることにより小孔から脱落しないように作用する。このようにピン３５を両穴に挿着することにより、作業中における押上げ金具２０の落下が防止される。
【０００８】
更に、所定の弾性を有したゴム、樹脂などから成るシート状のパッキン５０を２枚用意し、押え板３の下面と波板上面、押上げ板２１の上面と波板下面との間に、夫々介在させるように構成する。各パッキン５０は、押え板３、押上げ板２１とほぼ同等の面積、形状を有するように構成される。
また、パッキン５０は、肉厚、弾性を種々変更することによって、波板１００の凸部、又は凹部の形状と、押え板３、押上げ板２１の面形状との間に誤差があったとしても、パッキン５０によって形状の相違点を吸収できるように構成する。例えば、パッキン５０は均一厚のシート状にしてもよいが、中央部（波板の凸部の頂部、又は凹部の谷部）の肉厚と両端部の肉厚を異ならせたパッキンを複数種類用意して、形状、サイズの異なる波板に応じて使い分ける等の工夫によって、波板の形状と、押え板３、押上げ板２１の面形状との相違に十分に追随して密着状態で挟圧保持できるように構成することができる。つまり、パッキン５０の肉厚、弾性、断面形状に種々のバリエーションを持たせることによって、同一の波板取付金具１を使用しながらも種々のタイプの波板に対応することが可能となる。
また、屋外差込み金具と屋内押上金具の併用により、波板固定のための締め付け調整と、漏水防止のための締め付け調整を区別して実施することが可能となった。
また、図示の例では押え板３、及び押上げ板２１は、個々の凸部１００ａの頂部に対応可能な寸法を有しているが、これは一例に過ぎず複数の凸部、凹部に跨って連続した長尺の押え板、及び押上げ板を備えた構造としてもよい。
【０００９】
次に、上記波板取付金具を用いた波板の取付手順について図１、図２を用いて説明する。
波板１００には、工事現場で、その凸部１００ａの頂部に長手方向に沿って所定の間隔で穴１００Ａを形成する。本発明の取付金具１を用いて波板１００を取付対象物１１０としての型鋼に取り付ける際には、まず凸部１００ａの上面に穴を備えたパッキン５０を添設した状態で、パッキンの穴と凸部の穴１００Ａに対して屋外差込み金具２の段付きボルト４を差し込んでおく。この作業を屋根の上側から各穴１００Ａに対して実施することにより、全ての穴に対して屋外差込み金具２の挿着を完了する。この作業は、極めて容易、且つ単純な作業であり、熟練を要することもないし、短時間で済むため多大な労力や危険を伴うこともない。従来のように屋根の上側からネジを締結したり、釘を刺すといった作業を長時間をかけて実施する必要がないので、作業者の締め過ぎによって波板が破損する事態が大幅に低減される。
次いで行われる実際の締結作業の大半は、屋根直下の屋内側で実施される。即ち、波板の屋内側の下面から垂下した段付きボルト４に対して屋内側からパッキン５０の穴を挿通してから屋内押上げ金具２０のパイプ部材２２の上部開口から段付きボルト４を差し込む。この際、屋内押上金具２０が自重によって落下することがないように小孔５ａと長穴２２ａを連通させた状態で、両者内にピン３５を挿通しておく。
ナット３０による締め付け量を調整することによって押え板３と押上げ板２１とによるパッキン５０、５０を介した波板１００の締め付け力の調整が可能であり、穴１００Ａ、その他の部位（波板同士の継ぎ目）からの水漏れが確実に防止される。
次いでパイプ部材２２の下端開口から下方へ突出した段付きボルト４の小径ボルト部６を経由して大径ボルト部５に対してナット３０を螺着する。この際小孔５ａ内に固定されたピン３５が長穴２２ａの軸方向長の範囲内で相対移動するため、屋内押上金具２０はナット３０による締め付けに応じて屋外差込み金具２に対する高さ位置を移動させることができる。パイプ部材２２の下端部はこのナット３０の外形に適合するように寸法設定しておく。
【００１０】
次に、取付対象物１１０に対して段付きボルト４の小径ボルト部６を、下部締結具４０を構成するＬ型金具１２０などの固定具を用いて固定する。Ｌ型金具１２０は、２つのＬ型部材１２１、１２２を用いて取付対象物１１０の適所を係止し、Ｌ型部材１２１、１２２に夫々設けた穴１２１ａ、１２２ａ内に小径ボルト部６を挿通した状態でナット１２３にて締結固定するようにしている。
取付対象物１１０に対する段付きボルト４の高さ位置をナット１２３によって調整することにより、押え板３と押上げ板２１によって挟圧保持された波板部分の高さ位置を調整できる。そして、個々の取付金具１が波板からの荷重１００を各所において取付対象物１１０によって支持できるように構成しているので、波板を含む屋根構造物を支持する強度を高めることが可能となる。
固定具１２０は、取付対象物の形状等に応じて種々のタイプを任意に選択適用可能である。
なお、本発明の取付金具は、波板のみならず種々の形態を備えた板材（平板を含む）の取付に適用することができる。即ち、押え板３、押上げ板２１の形状を取付対象としての板材の形状に適合させることにより、屋内側からの安全かつ容易な作業によって、熟練者でなくても作業性良く締結作業を実施することができる。特に雨天時、降雪時等においても安全な作業が可能となる。
【図面の簡単な説明】
【００１１】
【図１】本発明の波板取付金具の分解斜視図。
【図２】（ａ）は波板取付金具を波板に取り付けた状態を示す斜視図、（ｂ）は下部締結具の構成説明図。
【符号の説明】
【００１２】
１  波板取付金具、２  屋外差込み金具、３  押え板、４  段付きボルト、５  大径ボルト部、５ａ  小孔、６  小径ボルト部、２０  屋内押上金具、２１  押上げ板、２２  パイプ部材、２２ａ  長穴、３０  上部締結具、３５  ピン、４０  下部締結具、５０  パッキン
【図１】
2006169847.tif 000003
【図２】
2006169847.tif 000004